(57)【要約】  ａ）８０％以上かつ９９．５％以下の質量比の弱酸官能基を含むモノマーに由来するモノマー単位、ｂ）０．５％以上かつ２０％以下の質量比の、式（１ａ）：Ｒ−（ＣＨ２）３−Ｓｉ（ＣＨ３）２−［Ｏ−Ｓｉ（ＣＨ３）２−］ｎＯ−Ｓｉ（ＣＨ３）２−（ＣＨ２）３−Ｒ（１ａ）（式中、Ｒは一価ラジカル：−（Ｏ−ＣＨ２−ＣＨ２−）ｘ［Ｏ−ＣＨ２−ＣＨ（ＣＨ３）−］ｙＯ−Ｃ（＝Ｏ）−ＣＨ＝ＣＨ２を表す）のモノマー、又は式（Ｉｂ）：Ｓｉ（ＣＨ３）３−［Ｏ−Ｓｉ（ＣＨ３）２−］ｍ［Ｏ−Ｓｉ（ＣＨ３）［（ＣＨ２）３−Ｒ］−］ｐＯ−Ｓｉ（ＣＨ２）３（Ｉｂ）のモノマー、ｃ）任意で、０％超かつ５％以下の質量比の少なくとも１つの式（ＩＩ）：Ｒ２−Ｃ（＝Ｏ）−Ｏ−［（ＣＨ２−ＣＨ（Ｒ４）−Ｏ］ｍ−Ｒ３（ＩＩ）のモノマーに由来するモノマー単位、ｄ）任意で、０％超かつ５％以下の質量比の少なくとも１つのジエチレン系又はポリエチレン系架橋モノマーの重合によって得られるアニオン性高分子電解質、それを調製する方法、及び局所組成物の増粘剤としてのその使用。【選択図】なし【特許請求の範囲】
【請求項１】
１００重量％に対して、
ａ）８０％以上かつ９９．５％以下の弱酸官能基を含むモノマーに由来するモノマー単位、
ｂ）０．５％以上かつ２０％以下の重量比の、
式（Ｉａ）：
【化１】
2015514820.tif 000010
（式中、
Ｒは一価ラジカル：
【化２】
2015514820.tif 000011
（式中、ｘ及びｙは互いに独立して、０以上かつ４０以下の整数を表し、ｘ＋ｙの和は０超かつ５０未満であると理解される）を表し、
ｎは０以上かつ４５以下の整数を表す）
のモノマーであって、分子量が１５００以上かつ７０００以下である、モノマー、又は、
式（Ｉｂ）：
【化３】
2015514820.tif 000012
（式中、
Ｒは式：
【化４】
2015514820.tif 000013
（式中、ｘ及びｙは互いに独立して、０以上かつ４０以下の整数を表し、ｘ＋ｙの和は０超かつ５０未満であると理解される）の一価ラジカルを表し、
ｍは１以上かつ７以下の整数を表し、
ｐはｍとは独立して、１以上かつ２０未満の整数を表す）
のモノマーであって、分子量が１０００以上かつ４０００以下である、モノマー、
ｃ）任意で、０％超かつ５％以下の重量比の少なくとも１つの式（ＩＩ）：
【化５】
2015514820.tif 000014
（式（ＩＩ）中、ｍは０以上かつ５０以下の数を表し、Ｒ２は２個〜４個の炭素原子を含む不飽和の一価脂肪族ラジカルを表し、Ｒ４は水素原子、メチルラジカル又はエチルラジカルを表し、Ｒ３は８個〜３０個の炭素原子を含む飽和又は不飽和の線状又は分岐脂肪族炭化水素ラジカルを表す）のモノマーに由来するモノマー単位、及び、
ｄ）任意で、０％超かつ５％以下の重量比の少なくとも１つのジエチレン系又はポリエチレン系架橋モノマー、
の重合によって得られる線状、分岐又は架橋アニオン性高分子電解質。
【請求項２】
前記弱酸官能基を含むモノマーが、アクリル酸、メタクリル酸、イタコン酸、マレイン酸又は３−メチル−３−［（１−オキソ−２−プロペニル）アミノ］ブタン酸から選ばれる、請求項１に記載のアニオン性高分子電解質。
【請求項３】
前記弱酸官能基を含むモノマーがアクリル酸である、請求項２に記載のアニオン性高分
子電解質。
【請求項４】
前記式（ＩＩ）のモノマーがペンタコサエトキシル化ベヘニルメタクリレート、テトラエトキシル化ラウリルアクリレート、エイコサエトキシル化ステアリルメタクリレート、テトラエトキシル化ラウリルメタクリレート又はステアリルメタクリレートから選ばれる、請求項１〜３のいずれか一項に記載のアニオン性高分子電解質。
【請求項５】
１００重量％に対して、
ａ）８５％以上かつ９８％以下の弱酸官能基を含むモノマーに由来するモノマー単位、
ｂ）１％以上かつ１４％以下の重量比の前記式（Ｉａ）のモノマー又は前記式（Ｉｂ）のモノマーに由来するモノマー単位、及び、
ｃ）任意で、１％以上かつ５％以下の重量比の前記式（ＩＩ）の化合物に由来するモノマー単位、
の重合によって得られる、請求項１〜４のいずれか一項に記載のアニオン性高分子電解質。
【請求項６】
架橋されていることを特徴とする、請求項１〜５のいずれか一項に記載のアニオン性高分子電解質。
【請求項７】
前記少なくとも１つのジエチレン系又はポリエチレン系架橋モノマーが、メチレンビス（アクリルアミド）又はトリメチロールプロパントリアクリレートから選ばれることを特徴とする、請求項６に記載のアニオン性高分子電解質。
【請求項８】
請求項１〜７のいずれか一項に記載の高分子電解質を調製する方法であって、
ａ）所望のモル比及び有機溶媒（Ｓ）中で、弱酸官能基を含むモノマー（単数又は複数）、式（Ｉａ）のモノマー又は式（Ｉｂ）のモノマー、必要又は所望に応じて式（ＩＩ）の化合物に由来するモノマー単位、及び必要又は所望に応じてジエチレン系又はポリエチレン系架橋モノマー（単数又は複数）を含む反応混合物を調製する段階と、
ｂ）段階ａ）で調製した前記反応混合物に、フリーラジカル開始剤を投入することによって重合反応を開始させるとともに、終了するまで進行させる段階であって、前記高分子電解質の沈殿物を得る、段階と、
ｃ）必要又は所望に応じて、段階ｂ）で得られた前記沈殿物を前記溶媒（Ｓ）から分離することによって単離する段階と、
ｄ）必要又は所望に応じて、段階ｃ）によって得られる前記沈殿物を乾燥させる段階と、
を含むことを特徴とする、方法。
【請求項９】
前記溶媒（Ｓ）がシクロヘキサン／酢酸エチル混合物である、請求項８に記載の方法。
【請求項１０】
化粧品局所組成物、皮膚医薬品局所組成物又は医薬品局所組成物の増粘剤及び／又は安定剤及び／又は乳化剤としての請求項１〜７のいずれか一項に記載のアニオン性高分子電解質の使用。
【請求項１１】
１重量％〜５重量％の請求項１〜７のいずれか一項に記載のアニオン性高分子電解質と、１重量％〜１０重量％のグリセロールとを含むことを特徴とする化粧品局所組成物。
【請求項１２】
シリコーン油を含まないことを特徴とする、請求項１１に記載の組成物。
【発明の詳細な説明】
【技術分野】
【０００１】
本発明の主題は新規の増粘剤、並びに化粧品及び医薬品におけるその使用である。
【背景技術】
【０００２】
合成又は天然の親水性ポリマーを導入することによって化粧品、皮膚医薬品又は医薬品への使用を対象とする水相を増粘することがよく知られている。キサンタン又はグアーガム等の天然ポリマーはかなり幅広く使用されているが、天然産物の従来の欠点（品質及び価格の変動）を示す。
【０００３】
この理由から、合成増粘ポリマーは化粧品、皮膚医薬品又は医薬品業界で広く利用されている。広いｐＨ範囲にわたって作用し、とりわけ十分耐容性であるという利点がある増粘剤が、本件出願企業を含む幾つかの企業によって既に提供されている。
【０００４】
とりわけ特許文献１、特許文献２、特許文献３若しくは更には特許文献４、又は更には特許文献５に記載の合成増粘剤に言及することができる。
【０００５】
これらのポリマーは逆ラテックス又は粉末形態で与えられる。これらのポリマーは、化粧品、皮膚医薬品又は医薬品業界の局所配合物に見ることができる様々な従来の構成要素を含む水相を増粘することを本質的に対象とするものである。とりわけ油、乳化剤としても知られる界面活性剤（非イオン性又はアニオン性）、無機塩又は弱酸に言及する。
【０００６】
実際、いくつかの配合物、より具体的にはスキンケアを対象とする配合物は、保湿力を増大させるために比較的多量、典型的には５重量％〜１０重量％のグリセロールも含む。しかしながら、配合物中のグリセロールの存在により粘着効果も大幅に増大することから、その粘着効果を制限又は排除するために調製者は配合物にシリコーン油を添加する。
【０００７】
しかしながら、シリコーン油の添加はこれらの配合物の調製を複雑にする。さらに、皮膚に直接接触することを意図する配合物におけるシリコーン油の存在は、最終消費者には悪い印象を持たれている。
【０００８】
このため、化粧品産業はその使用の制限を試みている。
【０００９】
現在、この観点から市場に出回っている増粘ポリマーの中には満足のいくものは存在しない。
【先行技術文献】
【特許文献】
【００１０】
【特許文献１】米国特許第６１９７２８７号
【特許文献２】米国特許第６１３６３０５号
【特許文献３】米国特許第６３４６２３９号
【特許文献４】欧州特許第０５０３８５３号
【特許文献５】米国特許第５００４５９８号
【発明の概要】
【発明が解決しようとする課題】
【００１１】
したがって、本発明者らは、広いｐＨ範囲にわたって効果的であり、シリコーン誘導体
等の第３の化合物を添加する必要なしに、グリセロールの存在によってもたらされる粘着効果を低減又は排除することが可能な新規の増粘ポリマーを開発しようとした。本発明者らは、シリコーンモノマー及び弱酸官能基を有するモノマーの沈殿重合によって得られるポリマー粉末によりこれらの問題が解決されることを見出した。
【課題を解決するための手段】
【００１２】
この理由から、第１の態様によると、本発明の主題は、
１００重量％に対して、
ａ）８０％以上かつ９９．５％以下の重量比の弱酸官能基を含むモノマーに由来するモノマー単位、
ｂ）０．５％以上かつ２０％以下の重量比の、
式（Ｉａ）：
【化１】
2015514820.tif 000002
（式中、
Ｒは一価ラジカル：
【化２】
2015514820.tif 000003
（式中、ｘ及びｙは互いに独立して、０以上かつ４０以下の整数を表し、ｘ＋ｙの和は０超かつ５０未満であると理解される）を表し、
ｎは０以上かつ４５以下の整数を表す）
のモノマーであって、分子量が１５００以上かつ７０００以下である、モノマー、又は、
式（Ｉｂ）：
【化３】
2015514820.tif 000004
（式中、
Ｒは式：
【化４】
2015514820.tif 000005
（式中、ｘ及びｙは互いに独立して、０以上かつ４０以下の整数を表し、ｘ＋ｙの和は０超かつ５０未満であると理解される）の一価ラジカルを表し、
ｍは１以上かつ７以下の整数を表し、
ｐはｍとは独立して、１以上かつ２０未満の整数を表す）
のモノマーであって、分子量が１０００以上かつ４０００以下である、モノマー、
ｃ）任意で、０％超かつ５％以下の重量比の少なくとも１つの式（ＩＩ）：
【化５】
2015514820.tif 000006
（式（ＩＩ）中、ｍは０以上かつ５０以下の数を表し、Ｒ２は２個〜４個の炭素原子を含む不飽和の一価脂肪族ラジカルを表し、Ｒ４は水素原子、メチルラジカル又はエチルラジカルを表し、Ｒ３は８個〜３０個の炭素原子を含む飽和又は不飽和の線状又は分岐脂肪族炭化水素ラジカルを表す）のモノマーに由来するモノマー単位、及び、
ｄ）任意で、０％超かつ５％以下の重量比の少なくとも１つのジエチレン系又はポリエチレン系架橋モノマー、
の重合によって得られる線状、分岐又は架橋アニオン性高分子電解質である。
【００１３】
「分岐高分子電解質」という用語は、ペンダント鎖を有し、水に溶解すると、低い速度勾配で非常に高い粘度になる高度に絡み合った状態が得られる非線状高分子電解質を表す。
【００１４】
「架橋高分子電解質」という用語は、不水溶性であるが水に膨潤する（gonflable）ことができ、したがって化学ゲルが達成される三次元網目構造の形態で供給される非線状高分子電解質を表す。
【００１５】
本発明による方法によって得られる高分子電解質は、架橋単位及び／又は分岐単位を含み得る。
【００１６】
「弱酸官能基を含むモノマー」という用語は、具体的にはアクリル酸、メタクリル酸、イタコン酸、マレイン酸又は３−メチル−３−［（１−オキソ−２−プロペニル）アミノ］ブタン酸から選ばれる、モノマーを表す。
【００１７】
特定の態様によると、上記弱酸官能基を含むモノマーがアクリル酸である。
【００１８】
別の特定の態様によると、線状、分岐又は架橋高分子電解質は、弱酸官能基を含むモノマーに由来するモノマー単位の重量比が９８％以下であることを特徴とする。
【００１９】
上に規定した式（ＩＩ）において、二価ラジカル：
【化６】
2015514820.tif 000007
は特に、
エトキシル基のみから構成される鎖（Ｒ４＝Ｈ、ｍ＞０）、又は、
プロポキシル基のみから構成される鎖（Ｒ４＝ＣＨ３、ｍ＞０）、又は、
ブトキシル基のみから構成される鎖（Ｒ４＝Ｃ２Ｈ５、ｍ＞０）、又は、
エトキシル基、プロポキシル基及び／又はブトキシル基から選ばれる少なくとも２つの異なる基から構成される鎖、
を表す。
【００２０】
この鎖が異なる基から構成される場合、これらの基は全てこの鎖に沿って連続的に又はランダムに分布する。
【００２１】
「８個〜３０個の炭素原子を含む飽和又は不飽和の線状脂肪族炭化水素ラジカル」という用語は、より具体的には上に規定した式（ＩＩ）におけるＲ３について、
線状第一級アルコールに由来するラジカル、例えばオクチルアルコール、ペラルゴンアルコール、デシルアルコール、ウンデシルアルコール、ウンデセニルアルコール、ラウリルアルコール、トリデシルアルコール、ミリスチルアルコール、ペンタデシルアルコール、セチルアルコール、ヘプタデシルアルコール、ステアリルアルコール、オレイルアルコール、リノレイルアルコール、ノナデシルアルコール、アラキジルアルコール、ベヘニルアルコール、エルシルアルコール若しくは１−トリアコンチルアルコールに由来するラジカル（これらはオクチルラジカル、ノニルラジカル、デシルラジカル、ウンデシルラジカル、１０−ウンデセニルラジカル、ドデシルラジカル、トリデシルラジカル、テトラデシルラジカル、ペンタデシルラジカル、ヘキサデシルラジカル、ヘプタデシルラジカル、オクタデシルラジカル、９−オクタデセニルラジカル、１０，１２−オクタデカジエニルラジカル、１３−ドコセニルラジカル又はトリアコンタニルラジカルである）、又は、
一般式：
【化７】
2015514820.tif 000008
（式中、ｐは２〜１４の整数を表す）に対応する分岐１−アルカノールであるゲルベアルコールに由来するラジカル、例えば２−エチルヘキシルラジカル、２−プロピルヘプチルラジカル、２−ブチルオクチルラジカル、２−ペンチルノニルラジカル、２−ヘキシルデシルラジカル若しくは２−オクチルドデシルラジカル、又は、
一般式：
【化８】
2015514820.tif 000009
（式中、ｍは２〜２６の整数を表す）に対応するイソアルカノールに由来するラジカル、例えば４−メチルペンチルラジカル、５−メチルヘキシルラジカル、６−メチルヘプチルラジカル、１５−メチルペンタデシルラジカル若しくは１６−メチルヘプタデシルラジカル、又は、
２−ヘキシルオクチルラジカル、２−オクチルデシルラジカル若しくは２−ヘキシルドデシルラジカル、
を表す。
【００２２】
「８個〜３０個の炭素原子を含む飽和又は不飽和の線状又は分岐脂肪族炭化水素ラジカル」という用語は、より具体的には上に規定した式（ＩＩ）におけるＲ３について、１２個〜２２個の炭素原子を含むアルキルラジカルを表す。
【００２３】
上に規定した式（ＩＩ）において、ｍはより具体的には０以上又は２５以下の数を表す。
【００２４】
上に規定した式（ＩＩ）において、Ｒ２はより具体的にはビニルラジカル（ＣＨ２＝ＣＨ−）又はイソプロペニルラジカル［ＣＨ２＝Ｃ（ＣＨ３）−］を表す。
【００２５】
本発明のより具体的な態様によると、上に規定した上記式（ＩＩ）のモノマーは、
Ｒ３がドコサニルラジカルを表し、Ｒ２がイソプロペニルラジカルを表し、Ｒ４が水素原子を表し、ｎが２５に等しい、上に規定した式（ＩＩ）の化合物であるペンタコサエトキシル化ベヘニルメタクリレート、
Ｒ３がドデシルラジカルを表し、Ｒ２がビニルラジカルを表し、Ｒ４が水素原子を表し、ｎが４に等しい、上に規定した式（ＩＩ）に対応する化合物であるテトラエトキシル化ラウリルアクリレート、
Ｒ３がステアリルラジカルを表し、Ｒ２がイソプロペニルラジカルを表し、Ｒ４が水素原子を表し、ｎが２０に等しい、上に規定した式（ＩＩ）の化合物であるエイコサエトキシル化ステアリルメタクリレート、
Ｒ３がドデシルラジカルを表し、Ｒ２がイソプロペニルラジカルを表し、Ｒ４が水素原子を表し、ｎが４に等しい、上に規定した式（ＩＩ）に対応する化合物であるテトラエトキシル化ラウリルメタクリレート、又は、
Ｒ３がステアリルラジカルを表し、Ｒ２がイソプロペニルラジカルを表し、Ｒ４が水素原子を表し、ｎが０に等しい、上に規定した式（ＩＩ）の化合物であるステアリルメタクリレート、
から選ばれる。
【００２６】
本発明のより具体的な態様によると、上に規定した上記式（Ｉａ）のモノマーは、分子量が４１００に等しく、Chemical Abstractsに登録番号ＲＮ＝１２８７５４−６１−０で
参照されているSiltechによって販売されるＳｉｌｍｅｒ（商標）ＡＣＲ  Ｄｉ−５０である。
【００２７】
本発明のより具体的な態様によると、上に規定した上記式（Ｉａ）のモノマーは、分子量が１１００に等しく、Siltechによって販売されるＳｉｌｍｅｒ（商標）ＡＣＲ  Ｄｉ−１０である。
【００２８】
本発明のより具体的な態様によると、上に規定した上記式（Ｉｂ）のモノマーは、分子量が３０００に等しく、Chemical Abstractsに登録番号ＲＮ＝５１８２９９−２８−０で参照されているSiltechによって販売されるＳｉｌｍｅｒ（商標）ＡＣＲ  Ｄ２０８である。
【００２９】
本発明のより具体的な態様によると、上に規定した上記式（Ｉｂ）のモノマーは、分子量が１４００に等しく、Chemical Abstractsに登録番号ＲＮ＝１５８０６１−４０−６で参照されているSiltechによって販売されるＳｉｌｍｅｒ（商標）ＡＣＲ  Ｄ２である。
【００３０】
特定の態様によると、本発明の主題は、より具体的には、
１００重量％に対して、
ａ）８５％以上かつ９８％以下の重量比の弱酸官能基を含むモノマーに由来するモノマー単位、
ｂ）１％以上かつ１４％以下の重量比の上に規定した式（Ｉａ）のモノマー又は上に規定した式（Ｉｂ）のモノマーに由来するモノマー単位、及び、
ｃ）１％以上かつ５％以下の重量比の上に規定した式（ＩＩ）の化合物に由来するモノマー単位、
の重合によって得られる、上に規定した記載の高分子電解質である。
【００３１】
本発明の別の特定の態様によると、上に規定した高分子電解質が架橋されている。
【００３２】
後者の態様によると、上記少なくとも１つのジエチレン系又はポリエチレン系架橋モノマーは、とりわけジアリルオキシ酢酸又はその塩のうちの１つ、例えばそのナトリウム塩、トリアリルアミン、トリメチロールプロパントリアクリレート、エチレングリコールジメタクリレート、ジエチレングリコールジアクリレート、ジアリル尿素若しくはメチレンビス（アクリルアミド）、又はこれらの化合物の幾つかの混合物から選ばれる。
【００３３】
本発明の非常に具体的な態様によると、使用される架橋剤はメチレンビス（アクリルアミド）又はトリメチロールプロパントリアクリレート（ＴＭＰＴＡ）である。
【００３４】
次に、架橋剤は概して０．００５重量％〜５重量％、より具体的には０．５重量％〜２．５重量％の使用されるモノマーに対して表されるモル比で使用される。
【００３５】
本発明の別の主題は、
上に規定した高分子電解質を調製する方法であって、
ａ）所望のモル比及び有機溶媒（Ｓ）中で、弱酸官能基を含むモノマー（単数又は複数）、式（Ｉａ）のモノマー又は式（Ｉｂ）のモノマー、必要又は所望に応じて式（ＩＩ）の化合物に由来するモノマー単位、及び必要又は所望に応じてジエチレン系又はポリエチレン系架橋モノマー（単数又は複数）を含む反応混合物を調製する段階と、
ｂ）段階ａ）で調製した上記反応混合物に、フリーラジカル開始剤を投入することによって重合反応を開始させるとともに、終了するまで進行させる段階であって、上記高分子電解質の沈殿物を得る、段階と、
を含むことを特徴とする、方法である。
【００３６】
本発明の別の特定の態様によると、上に規定した方法の段階ｂ）において、重合反応はジラウロイルペルオキシド、アゾビス（イソブチロニトリル）又は更にはアゾ誘導体等のホモリシスによってラジカルを生じるラジカル開始剤を使用して５０℃以上の温度で開始させる。
【００３７】
本発明の別の特定の態様によると、上に規定した方法の段階ｂ）において、重合反応は、所望に応じて重合共開始剤（coinitiateur）、例えばアゾビス（イソブチロニトリル）又はジラウロイルペルオキシドとともに、クメンヒドロペルオキシド／メタ重亜硫酸ナトリウム（Ｎａ２Ｓ２Ｏ５）対又はクメンヒドロペルオキシド／塩化チオニル（ＳＯＣｌ２）対のような亜硫酸水素（ＨＳＯ３）イオンを生成するレドックス対等のレドックス対によって２０℃以下の温度で開始させ、続いて或る程度断熱して（quasiadiabatique）行う。
【００３８】
上に規定した方法は、更に
ｃ）段階ｂ）で得られた上記沈殿物を上記溶媒（Ｓ）から分離することによって単離する段階と、
ｄ）必要又は所望に応じて、段階ｃ）によって得られる上記沈殿物を乾燥させる段階と、
を含み得る。
【００３９】
本発明の別の特定の態様によると、上に規定した方法の段階ｃ）において、上記有機溶媒から得られる沈殿物の分離は濾過によって行われる。
【００４０】
別の特定の態様によると、本発明の主題は上記有機溶媒（Ｓ）がトルエン、ベンゼン、シクロヘキサン、ヘプタン、酢酸エチル、トリクロロメタン、ジクロロエタン又はそれらの混合物から選ばれる、上に規定した方法である。
【００４１】
より具体的な態様によると、本発明の主題は、上記溶媒（Ｓ）がシクロヘキサン／酢酸エチル混合物である、上に規定した方法である。
【００４２】
本発明の別の主題は、化粧品局所組成物、皮膚医薬品局所組成物又は医薬品局所組成物の増粘剤及び／又は安定剤及び／又は乳化剤としての上に規定したアニオン性高分子電解質の使用である。
【００４３】
ヒト（homme）又は動物の皮膚又は粘膜に適用することを意図する本発明による局所組成物は、少なくとも１つの水相と少なくとも１つの油相とを含む局所エマルションからなっていてもよい。この局所エマルションは水中油型（Ｏ／Ｗ）、油中水型（Ｗ／Ｏ）、油中水中油型（Ｏ／Ｗ／Ｏ）又は水中油中水型（Ｗ／Ｏ／Ｗ）エマルションであり得る。局所エマルションの油相は１つ又は複数の油の混合物からなっていてもよい。
【００４４】
本発明による局所組成物は化粧品使用を対象としていてもよく、又は皮膚、頭皮及び粘膜の疾患を治療することを意図する薬剤の調製に使用してもよい。後者の場合、局所組成物は、例えば抗炎症剤、筋弛緩剤、抗真菌剤、抗菌剤又はフケ防止剤であり得る有効成分を含む。
【００４５】
局所組成物を皮膚、頭皮又は粘膜に適用することを意図した化粧品組成物として使用する場合、局所組成物は有効成分、例えば保湿剤、日焼け剤（agent bronzant）、日焼け止め剤、抗しわ剤、痩せるための薬剤、フリーラジカル消去剤（agent antiradicalaire）、抗ニキビ剤、抗真菌剤又はフケ防止剤を含んでいても又は含んでいなくてもよい。
【００４６】
本発明による局所組成物は、通常は０．１重量％〜１０重量％、より具体的には１重量％〜５重量％の上に規定したアニオン性高分子電解質を含む。
【００４７】
特定の態様によると、上に規定した局所組成物は１重量％〜１０重量％のグリセロールも含む。
【００４８】
局所組成物のｐＨは好ましくは３以上である。
【００４９】
局所組成物はまた、このタイプの組成物に通常含まれる化合物、例えば香料、保存剤、染料、顔料、日焼け止め剤、活性成分、皮膚軟化剤又は界面活性剤を含み得る。
【００５０】
本発明によるアニオン性高分子電解質は乳液、ローション、クリーム、石鹸、入浴剤（baths）、バーム、シャンプー又はコンディショナー等の配合物の調製に使用される他の賦形剤との良好な相溶性も示すことから、本件出願企業によってＳｅｐｉｇｅｌ（商標）３０５、Ｓｅｐｉｇｅｌ（商標）５０１、Ｓｉｍｕｌｇｅｌ（商標）ＥＧ、Ｓｉｍｕｌｇｅｌ（商標）ＥＰＧ、Ｓｉｍｕｌｇｅｌ（商標）ＮＳ、Ｓｉｍｕｌｇｅｌ（商標）ＩＮＳ
１００、Ｓｉｍｕｌｇｅｌ（商標）６００、Ｓｉｍｕｌｇｅｌ（商標）Ａ、Ｓｅｐｉｐｌｕｓ（商標）２６５、Ｓｅｐｉｐｌｕｓ（商標）２５０、Ｓｅｐｉｐｌｕｓ（商標）４００又はＳｅｐｉｐｌｕｓ（商標）Ｓという名で販売される逆ラテックスの有利な代用品である。アニオン性高分子電解質は上記製品Ｓｅｐｉｇｅｌ（商標）及び／又はＳｉｍｕｌｇｅｌ（商標）及び／又はＳｅｐｉｐｌｕｓ（商標）と併用してもよい。
【００５１】
アニオン性高分子電解質は、特に国際公開第９２／０６７７８号、国際公開第９５／０４５９２号、国際公開第９５／１３８６３号、国際公開第９６／３７２８５号、国際公開第９８／２２２０７号若しくは国際公開第９８／４７６１０号、又は仏国特許第２７３４４９６号に記載及び特許請求される濃縮物、国際公開第９３／０８２０４号に記載される界面活性剤と相溶性である。アニオン性高分子電解質は、特にＭｏｎｔａｎｏｖ（商標）６８、Ｍｏｎｔａｎｏｖ（商標）８２、Ｍｏｎｔａｎｏｖ（商標）２０２、Ｍｏｎｔａｎｏｖ（商標）Ｌ、Ｍｏｎｔａｎｏｖ（商標）Ｓ、Ｆｌｕｉｄａｎｏｖ（商標）２０Ｘ又はＥａｓｙｎｏｖ（商標）と相溶性である。
【００５２】
アニオン性高分子電解質は、国際公開第９３／０７８５６号に記載されているような酸性ｐＨの美容的に（cosmetiquement）又は生理的に許容可能な水性ゲルの作製に使用してもよく、非イオン性セルロースと組み合わせた、例えば欧州特許第０６８４０２４号に記載されているようなスタイリングジェルの作製、又は更には脂肪酸のエステル及び糖のエステルと組み合わせた、欧州特許第０６０３０１９号に記載されているような毛髪若しくは皮膚のトリートメント組成物の作製、又は更には国際公開第９２／２１３１６号に記載及び特許請求されているようなシャンプー若しくはコンディショナーの作製、又は最後にＣａｒｂｏｐｏｌ（商標）等のアニオン性ホモポリマーと組み合わせた、独国特許第１９５２３５９６号に記載されているような毛髪トリートメント製品の作製に使用してもよい。
【００５３】
アニオン性高分子電解質はアミノ酸のＮ−アシル化誘導体とも相溶性であるため、とりわけ国際公開第９２／２１３１８号、国際公開第９４／２７５６１号又は国際公開第９８／０９６１１号に記載又は特許請求されるような特に敏感肌用の鎮静組成物に使用することが可能である。アニオン性高分子電解質は、植物又は生合成起源の親水コロイド等の増粘及び／又はゲル化ポリマー、例えばキサンタンガム、カラヤゴム、カラギネート（carraghenates）、アルギネート又はガラクトマンナン；ケイ酸塩等；セルロース及びその誘導体等；デンプン及びその親水性誘導体等；又はポリウレタン等とも相溶性である。
【００５４】
本発明によるアニオン性高分子電解質はグリセロールによってもたらされる粘着効果を阻害する点において、このトリオールを含む局所組成物におけるシリコーン油の使用を省くことを更に可能とする。
【００５５】
この理由から、最後の態様によると、本発明の主題は０．１重量％〜１０重量％、より具体的には１重量％〜５重量％の上に規定したアニオン性高分子電解質と、１重量％〜１０重量％のグリセロールとを含み、シリコーン油を含まないことを特徴とする局所組成物である。
【００５６】
以下の実施例は本発明を説明するが、限定するものではない。
【発明を実施するための形態】
【実施例】
【００５７】
実施例１：ＡＡ／ＡＣＲ−Ｄ２コポリマーの調製
８８．２ｇのアクリル酸（ＡＡ）を、２７０ｇの酢酸エチルと２３０ｇのシクロヘキサンとが入った２５℃に維持された反応器に撹拌しながら入れる。
【００５８】
溶液の良好な均質化を達成するのに十分な時間の後、これを窒素スパージング（barbotage）によって脱酸素化し、続いて７．１ｇのＳｉｌｍｅｒ（商標）ＡＣＲ  Ｄ２（Ｃｈｅｍｉｃａｌ  Ａｂｓｔｒａｃｔ番号ＲＮ＝１５８０６１−４０−６で同定されている分子量が１４００に等しい式（Ｉｂ）の化合物）を添加する。
【００５９】
反応混合物を６０分間撹拌した後、６０℃の温度に達するまで加熱する。次いで０．５ｇのジラウロイルペルオキシドをこれに添加する。続いて、反応媒体を再び約６０分間撹拌した後、８０℃まで昇温し、この温度に５時間維持する。冷却後、重合中に形成される粉末を濾別し、乾燥させて、以下で高分子電解質１として認識する所望の生成物を得る。
【００６０】
増粘力の評価
ｐＨを７に調整した２重量％の高分子電解質１を含む水分散液の粘度（μ）［Ｂｒｏｏｋｆｉｅｌｄ  ＲＶＴ、Ｓｐｉｎｄｌｅ  ６、速度：５回転／分（Ｓ６，Ｒ５）］：μ＝７０２００ｍＰａ・ｓ。
ｐＨを７に調整した１重量％の高分子電解質１及び１重量‰の塩化ナトリウムを含む水分散液の粘度（μ）［Ｂｒｏｏｋｆｉｅｌｄ  ＲＶＴ（Ｓ６，Ｒ５）］：μ＝７４００ｍＰａ・ｓ。
【００６１】
グリセロールを含む水性ゲルの粘着性の評価
１．８７５ｇの高分子電解質１、２５ｇのグリセロール及び２２３．１２５ｇの脱イオン水を混合することによって水性ゲルを調製する。
【００６２】
比較のための基準として、４．７ｇのＳｅｐｉｇｅｌ（商標）３０５、２５ｇのグリセロール及び２２０．３ｇの水を混合することによって水性ゲルを調製する。
【００６３】
２つのゲルを各々異なる手の裏の面に塗布することにおいて、現行の技術水準によるゲルとは異なる本発明による高分子電解質１を含むゲルの粘着効果の欠如が観察される。
【００６４】
実施例２：ＡＡ／ＡＣＲ−Ｄ２コポリマーの調製
使用するＳｉｌｍｅｒ（商標）ＡＣＲ  Ｄ２の量を４．４ｇに減少させて、作業を実施例１と同様に行う。高分子電解質２が得られる。
【００６５】
増粘力の評価
ｐＨを７に調整した０．５重量％の高分子電解質２を含む水分散液の粘度（μ）［Ｂｒｏｏｋｆｉｅｌｄ  ＲＶＴ（Ｓ６，Ｒ５）］：μ＝１０８０００ｍＰａ・ｓ。
ｐＨを７に調整した１重量％の高分子電解質２及び１重量‰の塩化ナトリウムを含む水分散液の粘度（μ）［Ｂｒｏｏｋｆｉｅｌｄ  ＲＶＴ（Ｓ６，Ｒ５）］：μ＝１２０００ｍＰａ・ｓ。
【００６６】
グリセロールを含む水性ゲルの粘着性の評価
１．８７５ｇの高分子電解質２、２５ｇのグリセロール及び２２３．１２５ｇの脱イオン水を混合することによって水性ゲルを調製する。
【００６７】
比較のための基準として、４．７ｇのＳｅｐｉｇｅｌ（商標）３０５、２５ｇのグリセロール及び２２０．３ｇの水を混合することによって水性ゲルを調製する。
【００６８】
２つのゲルを各々異なる手の裏の面に塗布することにおいて、現行の技術水準によるゲルとは異なる本発明による高分子電解質２を含むゲルの粘着効果の欠如が観察される。
【００６９】
実施例３：ＡＡ／ＡＣＲ−Ｄ２コポリマーの調製
使用するＳｉｌｍｅｒ（商標）ＡＣＲ  Ｄ２の量を２．６ｇに減少させて、作業を実施例１と同様に行う。高分子電解質３が得られる。
【００７０】
増粘力の評価
ｐＨを７に調整した０．５重量％の高分子電解質３を含む水分散液の粘度（μ）［Ｂｒｏｏｋｆｉｅｌｄ  ＲＶＴ（Ｓ６，Ｒ５）］：μ＝３９８００ｍＰａ・ｓ。
ｐＨを７に調整した１重量％の高分子電解質３及び１重量‰の塩化ナトリウムを含む水分散液の粘度（μ）［Ｂｒｏｏｋｆｉｅｌｄ  ＲＶＴ（Ｓ６，Ｒ５）］：μ＝１５８００ｍＰａ・ｓ。
【００７１】
グリセロールを含む水性ゲルの粘着性の評価
１．８７５ｇの高分子電解質３、２５ｇのグリセロール及び２２３．１２５ｇの脱イオン水を混合することによって水性ゲルを調製する。
【００７２】
比較のための基準として、４．７ｇのＳｅｐｉｇｅｌ（商標）３０５、２５ｇのグリセロール及び２２０．３ｇの水を混合することによって水性ゲルを調製する。
【００７３】
２つのゲルを各々異なる手の裏の面に塗布することにおいて、現行の技術水準によるゲルとは異なる本発明による高分子電解質３を含むゲルの粘着効果の欠如が観察される。
【００７４】
実施例４：ＡＡ／ＡＣＲ−Ｄ２／ＳＭＡコポリマーの調製
８．１ｇのステアリルメタクリレートを更に添加して、作業を実施例３と同様に行う。高分子電解質４が得られる。
【００７５】
増粘力の評価
ｐＨを７に調整した０．５重量％の高分子電解質４を含む水分散液の粘度（μ）［Ｂｒｏｏｋｆｉｅｌｄ  ＲＶＴ（Ｓ６，Ｒ５）］：μ＝１５６００ｍＰａ・ｓ。
ｐＨを７に調整した１重量％の高分子電解質４及び１重量‰の塩化ナトリウムを含む水分散液の粘度（μ）［Ｂｒｏｏｋｆｉｅｌｄ  ＲＶＴ（Ｓ６，Ｒ５）］：μ＝１３１００ｍＰａ・ｓ。
【００７６】
グリセロールを含む水性ゲルの粘着性の評価
１．８７５ｇの高分子電解質４、２５ｇのグリセロール及び２２３．１２５ｇの脱イオン水を混合することによって水性ゲルを調製する。
【００７７】
比較のための基準として、４．７ｇのＳｅｐｉｇｅｌ（商標）３０５、２５ｇのグリセロール及び２２０．３ｇの水を混合することによって水性ゲルを調製する。
【００７８】
２つのゲルを各々異なる手の裏の面に塗布することにおいて、現行の技術水準によるゲルとは異なる本発明による高分子電解質４を含むゲルの粘着効果の欠如が観察される。
【００７９】
本発明による高分子電解質を用いて調製されるグリセロールを含み、シリコーン油を含まない配合物の例
実施例５：甘扁桃油を含む化粧落とし（demaquillante）エマルション
Ｍｏｎｔａｎｏｖ（商標）６８：                                  ５％
甘扁桃油：                                                      ５％
水：                                                            １００％まで適量高分子電解質１：                                                ０．３％
グリセロール：                                                  ５％
保存剤：                                                        ０．２％
香料：                                                          ０．３％
【００８０】
実施例６：アトピー性（tendance atopique）肌用のエマルション
Ａｒｌａｃｅｌ（商標）Ｐ１３５：                                ２．００％
高分子電解質４：                                                １．００％
Ｌａｎｏｌ（商標）１６８８：                                    １４．００％
Ｐｒｉｍｏｌ（商標）３５２：                                    ８．００％
グリセロール：                                                  ５．００％
水：                                                            １００％まで適量硫酸マグネシウム：                                              ０．７０％
Ｓｅｐｉｃｉｄｅ（商標）ＨＢ：                                  ０．３０％
Ｓｅｐｉｃｉｄｅ（商標）ＣＩ：                                  ０．２０％
Ｍｉｃｒｏｐｅａｒｌ（商標）Ｍ３１０：                          ５．００％
【００８１】
実施例において使用される市販製品の定義は以下のとおりである：
Ｍｏｎｔａｎｏｖ（商標）６８（セテアリルグルコシド）は、SEPPICによって販売される国際公開第９２／０６７７８号に記載の自己乳化性組成物である。
Ａｒｌａｃｅｌ（商標）Ｐ１３５は、Crodaによって販売されるグリセロールモノステアレート、グリセロールジステアレート及びポリオキシエチレングリセロールステアレートの混合物である。
Ｓｅｐｉｃｉｄｅ（商標）ＣＩ（イミダゾリジニル尿素）は、SEPPICによって販売される保存剤である。
Ｌａｎｏｌ（商標）１６８８は、SEPPICによって販売される、べたつかない（non gras）効果を有する皮膚軟化剤エステルである。
フェノキシエタノール、メチルパラベン、エチルパラベン、プロピルパラベン及びブチルパラベンの混合物であるＳｅｐｉｃｉｄｅ（商標）ＨＢは、SEPPICによって販売される保存剤である。
Ｍｉｃｒｏｐｅａｒｌ（商標）Ｍ  ３１０は、Matsumoによって販売される非常に肌触りがよく、マット化（mattifiante）作用を有する超微粉末である。
Ｐｒｉｍｏｌ（商標）３５２は、Exxonによって販売される鉱油である。
【国際調査報告】
2015514820.tif 000015
2015514820.tif 000016
2015514820.tif 000017
2015514820.tif 000018